(57)【要約】【課題】規定のトルクでネジ部材を締め付けることができる十字レンチを提供する。【解決手段】回転軸部１１の軸心回りの外力が直交軸部２１に加えられると、回転軸部１１は、装着されたソケット部材３１と共に、自身の軸心を中心に回転する。つまり、従来の十字レンチと同様の早回しが実現する。回転軸部１１が回転し続けて図示しないネジ部材が規定のトルクで締め付けられた場合、回転軸部１１には規定のトルクに対応する所定のトルクが付加される。このとき、作業者にクリック感が生起する。つまり、従来のシグナル式のトルクレンチと同様の機能が実現する。【選択図】図１
0003189593.tif 000002
【実用新案登録請求の範囲】
【請求項１】
ソケット部材が着脱可能に装着される第１杆部と、
該第１杆部に対して直交状に取り付けられる第２杆部と
を備える十字レンチにおいて、
前記第１杆部は、
一端部に前記ソケット部材が着脱可能に装着される回転軸部と、
該回転軸部の軸心を中心に該回転軸部が回転可能となるように該回転軸部の他端部を支持する支持部と
を有し、
前記第２杆部は、
前記回転軸部に直交する姿勢で前記回転軸部と共に回転可能に、且つ、自身の軸長方向に移動可能に、自身の軸心を中心とした回転を規制されて前記回転軸部に着脱可能に取り付けられる直交軸部と、
該直交軸部の前記軸長方向の移動を規制／解除すべく係／脱可能に前記回転軸部に係止する係止部と、
前記直交軸部の一端部側に配されており、第１係合部と、該第１係合部に対して係脱可能に係合する第２係合部とを用いてなり、前記回転軸部に所定のトルクが付加された場合に前記第１係合部及び第２係合部の係脱が変化し、前記第１係合部及び第２係合部が係／脱したときにクリック感を生起させるクリック生起部と
を有することを特徴とする十字レンチ。
【請求項２】
前記直交軸部の断面はＤ字状になしてあり、
前記回転軸部には、前記直交軸部が挿脱可能に挿入され、該直交軸部の断面形状に対応する周縁形状を有する貫通孔が設けられていることを特徴とする請求項１に記載の十字レンチ。
【請求項３】
前記係止部は少なくとも前記直交軸部の他端部に配されており、
該他端部に配されている係止部の前記回転軸部に対する係／脱を切り替える切替部を更に備え、
該切替部によって前記他端部に配されている係止部が係止状態／非係止状態にされている場合に、前記直交軸部が前記回転軸部に対して着脱不可能／可能にしてあることを特徴とする請求項１又は２に記載の十字レンチ。
【請求項４】
前記他端部に配されている係止部は、
前記クリック生起部から遠い位置に配され、前記直交軸部から出没可能に突出する第１係止凸部と、
前記クリック生起部に近い位置に配され、前記直交軸部から出没可能に突出し、突出方向に付勢されている第２係止凸部と
を有し、
前記切替部は、押圧操作される都度、前記第１係止凸部の出／没を切り替える押圧部を有し、
前記第１係止凸部が突出／没入している場合に前記直交軸部が前記回転軸部に対して着脱不可能／可能にしてあることを特徴とする請求項３に記載の十字レンチ。
【請求項５】
前記直交軸部に支持されており、前記回転軸部に平行な枢軸部を更に備え、
前記クリック生起部は、
前記枢軸部を中心に揺動可能であって、前記直交軸部の一端部が遊挿してある有底筒状の揺動部と、
前記直交軸部に設けられている前記第１係合部と、
前記第２係合部と、
該第２係合部及び前記揺動部の間に介在し、前記第２係合部を前記第１係合部に係合する方向に付勢する付勢部と
を用いてなり、
前記第１係合部及び第２係合部の係合時には前記揺動部の揺動は規制され、
前記揺動部に前記枢軸部の軸心回りの外力が加えられた場合に前記第１係合部及び第２係合部の係合が解除され、
前記第１係合部及び第２係合部の非係合時には前記揺動部は前記直交軸部に当接するまで揺動するようにしてあることを特徴とする請求項１乃至４の何れか一項に記載の十字レンチ。
【考案の詳細な説明】
【技術分野】
【０００１】
本考案は、十字状の締結具である十字レンチに関する。
【背景技術】
【０００２】
十字レンチは、例えばホイールナットを締め外しする場合に用いられる（特許文献１参照）。十字レンチには、非力な作業者であっても、いわゆる早回しによって迅速にホイールナットを締め外しすることができる、という利点がある。
とはいえ、十字レンチのみを用いてホイールナットを規定のトルクで締め付けることは困難である。そこで、十字レンチによる締め付けの後でトルクレンチが用いられることが望ましい。
【先行技術文献】
【特許文献】
【０００３】
【特許文献１】実用新案登録第３０８７８５９号公報
【考案の概要】
【考案が解決しようとする課題】
【０００４】
しかしながら、収納場所に複数個の工具を収納する余裕がない、又は、十字レンチとトルクレンチとを交代で使用する作業は煩雑である等の理由で、十字レンチとトルクレンチとを両方所有することが躊躇される場合がある。
【０００５】
本考案は斯かる事情に鑑みてなされたものであり、その主たる目的は、ボルト又はナット等のネジ部材を、規定のトルクで締め付けることができる十字レンチを提供することにある。
【課題を解決するための手段】
【０００６】
本考案に係る十字レンチは、ソケット部材が着脱可能に装着される第１杆部と、該第１杆部に対して直交状に取り付けられる第２杆部とを備える十字レンチにおいて、前記第１杆部は、一端部に前記ソケット部材が着脱可能に装着される回転軸部と、該回転軸部の軸心を中心に該回転軸部が回転可能となるように該回転軸部の他端部を支持する支持部とを有し、前記第２杆部は、前記回転軸部に直交する姿勢で前記回転軸部と共に回転可能に、且つ、自身の軸長方向に移動可能に、自身の軸心を中心とした回転を規制されて前記回転軸部に着脱可能に取り付けられる直交軸部と、該直交軸部の前記軸長方向の移動を規制／解除すべく係／脱可能に前記回転軸部に係止する係止部と、前記直交軸部の一端部側に配されており、第１係合部と、該第１係合部に対して係脱可能に係合する第２係合部とを用いてなり、前記回転軸部に所定のトルクが付加された場合に前記第１係合部及び第２係合部の係脱が変化し、前記第１係合部及び第２係合部が係／脱したときにクリック感を生起させるクリック生起部とを有することを特徴とする。
【０００７】
本考案に係る十字レンチは、前記直交軸部の断面はＤ字状になしてあり、前記回転軸部には、前記直交軸部が挿脱可能に挿入され、該直交軸部の断面形状に対応する周縁形状を有する貫通孔が設けられていることを特徴とする。
【０００８】
本考案に係る十字レンチは、前記係止部は少なくとも前記直交軸部の他端部に配されており、該他端部に配されている係止部の前記回転軸部に対する係／脱を切り替える切替部を更に備え、該切替部によって前記他端部に配されている係止部が係止状態／非係止状態にされている場合に、前記直交軸部が前記回転軸部に対して着脱不可能／可能にしてあることを特徴とする。
【０００９】
本考案に係る十字レンチは、前記他端部に配されている係止部は、前記クリック生起部から遠い位置に配され、前記直交軸部から出没可能に突出する第１係止凸部と、前記クリック生起部に近い位置に配され、前記直交軸部から出没可能に突出し、突出方向に付勢されている第２係止凸部とを有し、前記切替部は、押圧操作される都度、前記第１係止凸部の出／没を切り替える押圧部を有し、前記第１係止凸部が突出／没入している場合に前記直交軸部が前記回転軸部に対して着脱不可能／可能にしてあることを特徴とする。
【００１０】
本考案に係る十字レンチは、前記直交軸部に支持されており、前記回転軸部に平行な枢軸部を更に備え、前記クリック生起部は、前記枢軸部を中心に揺動可能であって、前記直交軸部の一端部が遊挿してある有底筒状の揺動部と、前記直交軸部に設けられている前記第１係合部と、前記第２係合部と、該第２係合部及び前記揺動部の間に介在し、前記第２係合部を前記第１係合部に係合する方向に付勢する付勢部とを用いてなり、前記第１係合部及び第２係合部の係合時には前記揺動部の揺動は規制され、前記揺動部に前記枢軸部の軸心回りの外力が加えられた場合に前記第１係合部及び第２係合部の係合が解除され、前記第１係合部及び第２係合部の非係合時には前記揺動部は前記直交軸部に当接するまで揺動するようにしてあることを特徴とする。
【００１１】
本考案にあっては、回転軸部の軸心回りの外力が直交軸部に加えられると、回転軸部は、回転軸部に装着されたソケット部材と共に、回転軸部の軸心を中心に回転する。つまり、従来の十字レンチと同様の早回しが実現する。
回転軸部が回転し続けてネジ部材が規定のトルクで締め付けられた場合、回転軸部には、ソケット部材を介して、規定のトルクに対応する所定のトルクが付加される。すると、第１係合部と第２係合部との係脱が変化（即ち、係合状態から非係合状態へ、又は非係合状態から係合状態へ変化）する。そして、係合していた第１係合部及び第２係合部が係合解除されたとき（又は係合が解除されていた第１係合部及び第２係合部が係合したとき）に、作業者にクリック感が生起する。つまり、従来のいわゆるシグナル式のトルクレンチと同様の機能が実現する。
【００１２】
回転軸部は支持部に支持されて回転する。支持部は回転軸部と共に回転する必要はない。故に、支持部を作業者の握持部として用いれば、回転軸部の姿勢を容易に保持可能である。支持部が握持されても、回転軸部の回転が阻害されることはない。
係止部が係止状態であれば、直交軸部の軸長方向の移動が規制される。このため、第１杆部に対する第２杆部の相対位置が保持される。一方、係止部が非係止状態であれば、直交軸部の軸長方向の移動が規制解除される。このため、第１杆部に対する第２杆部の相対位置を変更することが可能である。
【００１３】
直交軸部は自身の軸心を中心とした回転を規制される。故に、直交軸部に配されているクリック生起部の回転軸部に対する相対的な姿勢が無用に変化することがない。
【００１４】
本考案にあっては、直交軸部の断面、及び直交軸部が挿通される貫通孔の周縁形状は、Ｄ字状である。このため、直交軸部の回転を、簡易な構成で規制することができる。
【００１５】
本考案にあっては、直交軸部は、回転軸部に対して直交軸部の他端部側から着脱される。何故ならば、直交軸部の一端部側にはクリック生起部が配されているからである。
直交軸部の他端部に配されている係止部が係止状態であれば、直交軸部の軸長方向の移動が規制される。このため、直交軸部は回転軸部に対して着脱不可能である。一方、直交軸部の他端部に配されている係止部が非係止状態であれば、直交軸部の軸長方向の移動が規制解除される。このため、直交軸部は回転軸部に対して着脱可能である。
【００１６】
切替部は、係止部の回転軸部に対する係脱を切り替える。換言すれば、切替部は、直交軸部の回転軸部に対する着脱の可否を切り替える。この結果、切替部は、十字レンチの使用時に直交軸部が回転軸部から無用に脱落することを抑制するロック部として機能する。
直交軸部の他端部に配されている係止部が回転軸部に係止している場合、十字レンチの第１杆部及び第２杆部はＴ字状に配される。このときに回転軸部の軸心回りの外力が直交軸部の一端部側に加えられても、直交軸部の他端部側に偶力が発生することが抑制される。
【００１７】
本考案にあっては、第１係止凸部が直交軸部から突出している場合、直交軸部の軸長方向の移動が規制される。このため、直交軸部は回転軸部に対して着脱不可能である。一方、第１係止凸部が直交軸部に没入している場合、直交軸部の軸長方向の移動が規制解除される。このため、直交軸部は回転軸部に対して着脱可能である。
第１係止凸部の出没は、押圧部への押圧操作によって切り替えられる。換言すれば、押圧部への押圧操作によって、他端部に配されている係止部の状態（係止状態／非係止状態）を容易に切り替えることができ、延いては、直交軸部の回転軸部に対する着脱の可否を容易に切り替ることができる。
【００１８】
第２係止凸部が直交軸部から突出している場合、直交軸部の軸長方向の移動が規制される。第２係止凸部が直交軸部に没入している場合、直交軸部の軸長方向の移動が規制解除される。第２係止凸部は通常は突出しており、第２係止凸部への付勢力を超える外力を加えられた場合に没入する。
【００１９】
本考案にあっては、枢軸部は回転軸部に平行である。枢軸部は直交軸部に支持されているため、直交軸部と共に回転する。ただし、枢軸部が回転軸部に対して非平行になる虞はない。何故ならば、直交軸部は、自身の軸心を中心とした回転を規制されているからである。
【００２０】
有底筒状の揺動部には直交軸部の一端部が遊挿（遊びを有して挿入）してある。しかも、揺動部は枢軸部を中心に揺動可能である。しかしながら、付勢部の付勢力によって第１係合部と第２係合部とが係合している場合、揺動部は揺動しない。故に、揺動部に枢軸部の軸心回りの外力を加えることは、揺動部に回転軸部の軸心回りの外力を加えることを意味する。このとき、揺動部及び直交軸部が回転軸部を中心に回転すると共に、回転軸部は自身の軸心を中心に回転する。
【００２１】
回転軸部の回転に伴うソケット部材の回転によってネジ部材が規定のトルクで締め付けられると、所定のトルクの付加により、回転軸部は回転し難くなる。そこへ、枢軸部の軸心回りの外力が更に揺動部に加えられると、付勢部を介して第２係合部に外力が加わり、付勢部の付勢力に打ち勝って、第１係合部と第２係合部とが係合が解除される。このとき、揺動部が揺動する。すると、揺動部の内部で直交軸部が揺動部に対して相対的に揺動する。この結果、揺動部と直交軸部とが当接する。揺動部と直交軸部との当接によって生じる衝撃が作業者に伝わると、クリック感が生起する。
【考案の効果】
【００２２】
本考案の十字レンチによる場合、従来の十字レンチの機能と従来のトルクレンチの機能とが兼ね備えられている。従って、本考案の十字レンチのみを用いて、ネジ部材を規定のトルクで締め付けることができる。故に、規定のトルクでネジ部材を締め付けるために、従来の十字レンチと従来のトルクレンチとを両方所有している必要はない。
【図面の簡単な説明】
【００２３】
【図１】本考案の実施の形態１に係る十字レンチの構成を示す平面部分断面図である。
【図２】十字レンチの構成を示す平面図である。
【図３】十字レンチが備える第１杆部の構成を示す平面部分断面図である。
【図４】第２杆部の左端側の構成を示す平面部分断面図である。
【図５】第２杆部の右端側の構成（トルク非規定時）を示す正面断面図である。
【図６】第２杆部の右端側の構成（トルク規定時）を示す正面断面図である。
【図７】第２杆部が備える直交軸部の構成を示す側面図である。
【図８】本考案の実施の形態２に係る十字レンチが備える工具用ソケットの構成を示す側面部分断面図である。
【図９】工具用ソケットの構成を示す正面図である。
【図１０】工具用ソケットの構成を示す背面図である。
【考案を実施するための形態】
【００２４】
以下、本考案を、その実施の形態を示す図面に基づいて詳述する。以下の説明では、図において矢符で示す上下、前後、及び左右を使用する。
【００２５】
実施の形態  １．
図１は、本考案の実施の形態１に係る十字レンチ３の構成を示す平面部分断面図である。
図２は、十字レンチ３の構成を示す平面図である。
図３は、十字レンチ３が備える第１杆部１の構成を示す平面部分断面図である。
図４は、第２杆部２の左端側の構成を示す平面部分断面図である。
図５及び図６は、第２杆部２の右端側の構成を示す正面断面図である。図６は、後述するようにネジ部材のトルクが規定のトルクに達した場合を示している。
図７は、第２杆部２が備える直交軸部２１の構成を示す側面図である。
【００２６】
まず、十字レンチ３の構成について説明する。
図１及び図２に示すように、十字レンチ３は、第１杆部１及び第２杆部２と、複数個のソケット部材３１，３１，…（１個のみ図示）とを備えている。十字レンチ３は、ソケット部材３１，３１，…のうちの１個が装着されている第１杆部１に対して第２杆部２を直交状に取り付けた十字状又はＴ字状の形態で使用される。
【００２７】
ソケット部材３１，３１，…は夫々筒状である。ソケット部材３１，３１，…夫々の前側部分は、ソケット部材３１毎に異なる所定のサイズのネジ部材（例えばホイールナット）に嵌合される。ソケット部材３１，３１，…夫々の後側部分は互いに同様の構成であり、第１杆部１に装着される。各ソケット部材３１の後側部分の内面には、不図示の係合凹部が設けられている。
【００２８】
図１〜図３に示すように、第１杆部１は回転軸部１１と支持部１２とを有する。回転軸部１１は第１杆部１の前端部及び前後方向中央部を構成する。支持部１２は第１杆部１の後端部を構成する。
回転軸部１１は、前後方向の円柱状である。回転軸部１１の前端部１１ａには、前後方向の四角柱状の装着部１１１が前向きに同軸に突設されている。装着部１１１の上面からは、係合凸部１１３が出没可能に突出している。係合凸部１１３は、突出方向に付勢されている。
【００２９】
装着部１１１には、１個のソケット部材３１が着脱可能に装着される。このために、作業者はソケット部材３１の後側部分の内部に装着部１１１を押し込む。すると、ソケット部材３１との接触によって装着部１１１の係合凸部１１３が一時的に没入してから突出する。この結果、係合凸部１１３はソケット部材３１の係合凹部に係脱可能に係合する。係合凸部１１３とソケット部材３１の係合凹部との係合は、ソケット部材３１の脱落を抑制する。この後、作業者がソケット部材３１を引き抜く方向の外力を加えた場合に、再び係合凸部１１３が一時的に没入することによって係合凸部１１３とソケット部材３１の係合凹部との係合とが解除される。このため、ソケット部材３１が装着部１１１から引き抜かれる。
【００３０】
回転軸部１１の前後方向の中途には、左右方向の貫通孔１１２が設けられている。貫通孔１１２の周縁形状は、円形の一部を直線状に切り落としたようなＤ字状である（図７参照）。本実施の形態では、回転軸部１１の貫通孔１１２近傍は回転軸部１１の他部よりも太い。
【００３１】
支持部１２は、前側が開口している前後方向の有底円筒状である。支持部１２には、回転軸部１１の後端部１１ｂが挿入されている。支持部１２は、回転軸部１１の後端部１１ｂを、回転軸部１１が軸心を中心に回転可能となるように支持している。このために、支持部１２は、鋼球を用いてなる軸受けとして構成されている。
【００３２】
図１、図２、及び図４〜図７に示すように、第２杆部２は直交軸部２１とクリック生起部２２とを有する。直交軸部２１は第２杆部２の左端部及び左右方向中央部を構成する。クリック生起部２２は第２杆部２の右端部を構成する。直交軸部２１には中央係止部（係止部）２３と左端係止部（係止部）２４と切替部２５とが配されている。
【００３３】
直交軸部２１は左右方向の柱状である。直交軸部２１の断面形状は、円形の一部を直線状に切り落としたようなＤ字状である。直交軸部２１は、回転軸部１１の貫通孔１１２に挿脱可能に（即ち、直交軸部２１の軸長方向に移動可能に）挿入される。このとき、直交軸部２１のＤカット部分と貫通孔１１２のＤカット部分とが対向配置される。貫通孔１１２に挿入された直交軸部２１は、直交軸部２１のＤカット部分と貫通孔１１２のＤカット部分との干渉により、直交軸部２１の軸心を中心とした回転を規制される。
【００３４】
直交軸部２１の右端部２１ｂは、前後方向の円柱状の枢軸部２１１によって貫通されている。即ち、枢軸部２１１は、第１杆部１の回転軸部１１に平行に、直交軸部２１に支持されている。
直交軸部２１の右端部２１ｂには、調整突起２１２が下向きに突設してある。
直交軸部２１の右端面２１ｃは、右下がりの平面状の傾斜面である。右端面２１ｃには、取付凹部２１７が設けられている。
【００３５】
直交軸部２１には、各円形の３個の第１穴２１４，２１５，２１６と、円形の１個の第２穴２６とが設けられている。
第１穴２１４，２１５，２１６は、夫々が直交軸部２１の周面に開口し、直交軸部２１の軸長方向に交差する方向に設けられている。第１穴２１４，２１５は、直交軸部２１の左端部２１ａにて左側から右側にこの順に配されている。第１穴２１６は直交軸部２１の左右方向の中途に配されている。
【００３６】
第２穴２６は、直交軸部２１の軸長方向（即ち左右方向）に設けられている。第２穴２６は、直交軸部２１の左端面に開口する円形状の左孔２６１と、左孔２６１よりも内径が小さい円形状であり、左孔２６１に連通し、且つ第１穴２１４に交差して連通する右穴２６２とを有する。
【００３７】
左端係止部２４及び切替部２５は、直交軸部２１の左端部２１ａに配されている。
切替部２５は、押圧部材（押圧部）２５１及び付勢部材２５２を有する。
付勢部材２５２は左右方向に伸縮するコイルばね状であり、第２穴２６の左孔２６１に配されている。
【００３８】
押圧部材２５１は、左側の頭部２５３と右側の脚部２５４とを一体に有する。
押圧部材２５１の脚部２５４は左右方向の円柱状であり、周面に段状凹部２５５を有する。段状凹部２５５は、深くて左右方向に長い左側の凹部と、浅くて左右方向に短い右側の凹部とを隣接して有する段状である。脚部２５４は、付勢部材２５２の内部を貫通し、第２穴２６の左孔２６１及び右穴２６２に亘って配されている。脚部２５４の外径は右穴２６２の内径と同程度である。脚部２５４の周面の一部は、右穴２６２の内面に対して左右方向に摺動可能に接触している。脚部２５４が第２穴２６から外部へ脱落することは抑制されている。
【００３９】
押圧部材２５１の頭部２５３は縦姿勢の円盤状であり、脚部２５４の左端部に配されている。また、頭部２５３は第２穴２６の左孔２６１に配されている。頭部２５３の外径は左孔２６１の内径と同程度である。頭部２５３の周面の一部は、左孔２６１の内面に対して左右方向に摺動可能に接触している。頭部２５３は、付勢部材２５２により、頭部２５３の左側の一部が第２穴２６の左側開口から突出するよう付勢されている。
押圧部材２５１の頭部２５３が第２穴２６の左側開口から突出している場合、段状凹部２５５の浅い部分が直交軸部２１の第１穴２１４の内部に位置している。
【００４０】
左端係止部２４は、第１係止凸部２４１と第２係止凸部２４２とを有する。
第１係止凸部２４１は鋼球を用いてなる。第１係止凸部２４１は、第１穴２１４に配されており、段状凹部２５５の内底面に接触している。
段状凹部２５５の浅い部分が第１穴２１４の内部に位置している場合、第１係止凸部２４１は、球体の一部が第１穴２１４から突出した状態に保持される。
【００４１】
押圧部材２５１の頭部２５３に右方向への押圧力が加えられると、頭部２５３は付勢部材２５２を圧縮変形させつつ第２穴２６の左孔２６１の内部に没入する。このとき、脚部２５４は右側へ移動し、段状凹部２５５の深い部分が第１穴２１４の内部に位置する。
段状凹部２５５の深い部分が第１穴２１４の内部に位置した場合、第１係止凸部２４１は段状凹部２５５の深い部分に移動して、第１穴２１４の内部に没入する。そして、第１係止凸部２４１が第１穴２１４の内周面及び段状凹部２５５の段部の両方に係合する。この結果、脚部２５４の左方向への移動が抑制される。
【００４２】
第１係止凸部２４１と段状凹部２５５の段部とが係合している状態で、押圧部材２５１の頭部２５３に右方向への押圧力が加えられると、第１係止凸部２４１と段状凹部２５５の段部との係合が解除される。すると、頭部２５３は付勢部材２５２の付勢力により、再び第２穴２６から突出する。このとき、脚部２５４は左方向へ移動し、段状凹部２５５の浅い部分が第１穴２１４の内部に位置する。そして、第１係止凸部２４１が段状凹部２５５の浅い部分に戻る。
つまり、押圧部材２５１が押圧される都度、第１係止凸部２４１の出／没が切り替えられる。
【００４３】
第２係止凸部２４２は鋼球を用いてなる。第２係止凸部２４２は、直交軸部２１の第１穴２１５に配されている。第２係止凸部２４２は、第１穴２１５の内部に配されているコイルばね状の付勢部材２４３により、第１穴２１５の開口から第２係止凸部２４２の一部が突出するよう付勢されている。従って、付勢部材２４３の付勢力を超えて第２係止凸部２４２に後方向の外力が加えられれば、第２係止凸部２４２は第１穴２１５の内部に没入する。
第１係止凸部２４１と第２係止凸部２４２との左右方向の離隔距離は、回転軸部１１の貫通孔１１２の左右方向の長さと同程度（即ち、回転軸部１１の貫通孔１１２近傍の外径と同程度）である。
【００４４】
中央係止部２３は、直交軸部２１の左右方向の中途に設けられている。中央係止部２３は、出没凸部２３１と凸条部２３２とを有する。
出没凸部２３１の出没は、出没凸部２３１が直交軸部２１の第１穴２１６に配されていることを除けば、第２係止凸部２４２の出没と同様である。即ち、出没凸部２３１は、第１穴２１６の開口から出没凸部２３１の前側の一部が突出するよう付勢されている。出没凸部２３１に適宜の外力が加えられれば、出没凸部２３１は出没凸部２３１の内部に没入する。
【００４５】
凸条部２３２は環状部材を用いてなり、直交軸部２１における出没凸部２３１よりも右側に外嵌めされている。凸条部２３２は出没しない。
出没凸部２３１と凸条部２３２との左右方向の離隔距離は、回転軸部１１の貫通孔１１２の左右方向の長さと同程度である。
【００４６】
クリック生起部２２は、第１係合部２２１、第２係合部２２２、揺動部２２３、及び付勢部２２４を有する。
揺動部２２３は、左側が開口している左右方向の有底円筒状である。更に詳細には、揺動部２２３は、円筒状部材２２ａと、円筒状部材２２ａの右側開口を閉塞する蓋部材２２ｂとを用いてなり、円筒状部材２２ａの内部に、蓋部材２２ｂに接近配置された連結部２２ｃを有する。揺動部２２３には、直交軸部２１の右端部２１ｂが遊挿されている。直交軸部２１の枢軸部２１１は、揺動部２２３の左端部を、遊びを有して貫通している。即ち、揺動部２２３は、枢軸部２１１を中心に揺動可能に直交軸部２１に取り付けられている。
【００４７】
揺動部２２３の左側開口の周縁部と直交軸部２１の右端部２１ｂの周面との間の空隙は、中央係止部２３の凸条部２３２によって閉塞されている。
調整突起２１２は、揺動部２２３の内周面と直交軸部２１の周面との間のスペーサとして機能する。
【００４８】
第１係合部２２１は、前後方向の円柱部材を用いてなり、取付凹部２１７の開口周縁下部に取り付けられている。第１係合部２２１の周方向の一部／他部は取付凹部２１７の外部／内部に配されている。
第２係合部２２２は前後方向のローラ状である。第２係合部２２２は、第１係合部２２１に係脱可能に係合する。第１係合部２２１と第２係合部２２２とが係合している場合、第２係合部２２２の周面の一部は取付凹部２１７の開口に臨み、第２係合部２２２の周面の他部は第１係合部２２１の周面に接触する。
【００４９】
付勢部２２４は、揺動部２２３の内部の右端部側に収容されている。付勢部２２４は、付勢部本体２２５と係合支持部２２６とを有する。
【００５０】
係合支持部２２６は、左側が開口する左右方向の有底円筒状である。係合支持部２２６の周面には、係合支持部２２６に回転可能に支持された可動球２２７が突設されている。可動球２２７又は係合支持部２２６の周面は、揺動部２２３の内面に対して左右方向に転動可能又は摺動可能に接触している。係合支持部２２６は、左側開口の周縁部にて第２係合部２２２を回転可能に支持する。このとき、第２係合部２２２の周方向の一部が係合支持部２２６の左側開口から左側に露出する。
付勢部本体２２５は左右方向に伸縮するコイルばね状である。付勢部本体２２５の左端部には係合支持部２２６の右端部が連結されている。付勢部本体２２５の右端部は、連結部２２ｃを介して揺動部２２３の蓋部材２２ｂに連結されている。このため、係合支持部２２６が揺動部２２３の内部を左方向／右方向に移動すると、係合支持部２２６と揺動部２２３との間で付勢部本体２２５が伸／縮する。
【００５１】
付勢部本体２２５は、係合支持部２２６を介して、第２係合部２２２を第１係合部２２１に対する係合方向に付勢する。付勢部２２４の付勢力によって第１係合部２２１と第２係合部２２２とが係合している間は、揺動部２２３の揺動は規制される。
【００５２】
更に詳細には、揺動部２２３が枢軸部２１１を中心に下側へ揺動しようとすると、揺動部２２３と共に付勢部２２４が枢軸部２１１を中心に下側へ揺動しようとする。このとき、第２係合部２２２は、枢軸部２１１の軸心回りに下向きに移動しようとする。しかしながら、第２係合部２２２の移動は、第１係合部２２１によって阻止される。この結果、付勢部２２４の揺動、更には揺動部２２３の揺動が阻止される。
ところで、揺動部２２３が枢軸部２１１を中心に上側へ揺動しようとしても、揺動部２２３の内面が調整突起２１２に当接するため、揺動部２２３の揺動は阻止される。換言すれば、第１係合部２２１と第２係合部２２２とが係合している場合、直交軸部２１が、揺動部２２３に対して相対的に、枢軸部２１１の軸心回りに下向きに揺動することはない。一方、直交軸部２１が、揺動部２２３に対して相対的に、枢軸部２１１の軸心回りに上向きに揺動することは可能である。
【００５３】
次に、十字レンチ３によるネジ部材の締結手順について説明する。
作業者は、切替部２５の押圧部材２５１を押圧操作することによって、左端係止部２４の第１係止凸部２４１を没入させる。この結果、左端係止部２４は係止状態から非係止状態に切り替えられる。
【００５４】
この状態で、作業者は、直交軸部２１を貫通孔１１２に右側から左側へ挿入する。作業者が直交軸部２１を、凸条部２３２に当接するまで貫通孔１１２へ押し込むことによって、貫通孔１１２の内面が第２係止凸部２４２及び出没凸部２３１を順次没入させる。この結果、直交軸部２１は、中央係止部２３にて、再び突出した出没凸部２３１と、凸条部２３２との間に配される。このとき、中央係止部２３は、直交軸部２１を左右方向に挟む形で貫通孔１１２の開口周縁部に係止する。この状態では、直交軸部２１の軸長方向の移動は規制される。また、第１杆部１と第２杆部２とは図１に示すような十字状に配される。
【００５５】
作業者は、再び切替部２５の押圧部材２５１を押圧操作することによって、左端係止部２４の第１係止凸部２４１を突出させる。この結果、左端係止部２４は非係止状態から係止状態に切り替えられる。この場合、仮に、直交軸部２１に対して貫通孔１１２から引き抜く方向の外力が働き、中央係止部２３による係止が解除されてしまったとしても、第１係止凸部２４１が貫通孔１１２の開口周縁部に係止することによって、直交軸部２１の回転軸部１１からの脱落が抑制される。
【００５６】
作業者は、ソケット部材３１，３１，…の内、締結すべきネジ部材に対応するソケット部材３１を選出し、選出したソケット部材３１を装着部１１１に装着する。次いで、作業者は、ソケット部材３１をネジ部材に嵌合する。
【００５７】
次に、作業者は、第２杆部２に対して回転軸部１１の軸心周りの外力を加える。このときに外力を加えるべき部位は、直交軸部２１でもクリック生起部２２でもよい。クリック生起部２２（又は直交軸部２１）に対して回転軸部１１の軸心周りの外力を加えた場合、力点の、回転軸部１１の軸心周りに関して対称の位置に、偶力が発生する。すると、回転軸部１１、ソケット部材３１、及び第２杆部２が、回転軸部１１の軸心周りに一体的に回転する。この結果、従来の十字レンチと同様の早回しが実現する。
このような早回しを行なう場合に、作業者が支持部１２を握持すれば、回転軸部１１の回転を阻害することなく、回転軸部１１をネジ部材と同軸の適切な姿勢に保持することができる。
【００５８】
ところで、揺動部２２３に対して回転軸部１１の軸心周りの外力を加えることは、揺動部２２３に対して枢軸部２１１の軸心周りの外力を加えることに等しい。しかしながら、付勢部２２４の付勢力によって第１係合部２２１と第２係合部２２２とが係合しているため、揺動部２２３の揺動は困難である。一方、回転軸部１１が回転する間は、直交軸部２１も回転軸部１１の軸心回りに回転する。故に、揺動部２２３に加えられた外力は、回転軸部１１及び直交軸部２１の回転に費やされる。つまり、揺動部２２３の揺動は規制される（図５参照）。
【００５９】
回転軸部１１及びソケット部材３１の回転により、ネジ部材が締め付けられていくと、やがて、ネジ部材のトルクが規定のトルクに近づく。このとき、ソケット部材３１を介して回転軸部１１にネジ部材からの反力が加わる。このため、回転軸部１１が回転し難くなる。
【００６０】
そこで、作業者は、回転軸部１１に対して相対的に直交軸部２１を右側へ（即ち直交軸部２１を貫通孔１１２から引き抜く方向へ）移動させる。すると、貫通孔１１２の内面が出没凸部２３１及び第２係止凸部２４２を順次没入させる。この結果、直交軸部２１は、左端係止部２４にて、切替部２５によって突出した状態に保たれている第１係止凸部２４１と、再び突出した第２係止凸部２４２との間に配される。このとき、左端係止部２４は、直交軸部２１を左右方向に挟む形で貫通孔１１２の開口周縁部に係止する。この状態では、直交軸部２１の軸長方向の移動は規制される。また、第１杆部１と第２杆部２とは図２に示すようなＴ字状に配される。
【００６１】
次に、作業者は、支持部１２を握持しながら、クリック生起部２２の揺動部２２３に対して回転軸部１１の軸心周りの外力を加える。梃子の原理により、Ｔ字状の十字レンチ３は十字状の十字レンチ３よりも容易にネジ部材に対して大きな締結力を加えることができる。このため、回転軸部１１及びソケット部材３１は更に回転する。ただし、Ｔ字状の十字レンチ３においては十字状の十字レンチ３に比べて偶力の発生が抑制されるため、早回しは困難である。また、ネジ部材のトルクが規定のトルクに更に近づくと、反力によって回転軸部１１は再び回転し難くなる。
【００６２】
やがてネジ部材のトルクが規定のトルクに達すると、ソケット部材３１を介して回転軸部１１に、規定のトルクに対応する所定のトルクが付加される。このとき、回転軸部１１の回転が更に困難になる。故に、直交軸部２１の回転軸部１１の軸心回りの回転が困難になる。すると、揺動部２２３に加えられた枢軸部２１１の軸心周りの外力が、付勢部２２４を介して第２係合部２２２に伝わり、付勢部２２４の付勢力に打ち勝つ。この結果、第１係合部２２１と第２係合部２２２との係合が解除されて、第２係合部２２２が枢軸部２１１の軸心回りに下向きに移動し、第１係合部２２１に乗り上げると共に、揺動部２２３が枢軸部２１１の軸心周りに下方向に揺動する（図６参照）。すると、揺動部２２３の内面が直交軸部２１の右端部２１ｂに衝突する。この衝突によって、作業者にクリック感が生起すると共にクリック音が発生する。
【００６３】
作業者は、クリック感又はクリック音を知覚することによって、ネジ部材が規定のトルクで締め付けられたことを認識する。つまり、従来のシグナル式のトルクレンチと同様の機能が実現する。
次いで、作業者は、揺動部２２３に対して外力を加えることを終了する。すると、付勢部２２４の付勢力によって第１係合部２２１と第２係合部２２２とが再び係合する。このとき、揺動部２２３が上方向に揺動し、元の位置に戻る。このときも、作業者にクリック感が生起すると共にクリック音が発生する。何故ならば、揺動した揺動部２２３が調整突起２１２に当接するからである。
【００６４】
ネジ部材の締結作業の終了後、作業者は、切替部２５の押圧部材２５１を押圧操作することによって、第１係止凸部２４１を没入させる。この結果、左端係止部２４は係止状態から非係止状態に切り替えられる。このとき、作業者は、貫通孔１１２から直交軸部２１を引き抜く。また、作業者は、ソケット部材３１を取り外す。そして、作業者は、第１杆部１及び第２杆部２を平行的に配して適宜の収納場所に収納する。この結果、十字レンチ３をコンパクトに収納することができる。
【００６５】
ところで、調整突起２１２の突出量が小さいほど、第１係合部２２１と第２係合部２２２との係合は解除され難くなる。このため、調整突起２１２の突出量を調整することによって、クリック感及びクリック音が生じる所定のトルクを調整することができる。
トルクの調整は、十字レンチ３がＴ字状の場合にネジ部材を既定のトルクで締め付けることができるように行なわれる。何故ならば、十字レンチ３が十字状の場合に生じる偶力は、十字レンチ３のトルクレンチとしての機能に悪影響を及ぼすからである。
【００６６】
なお、直交軸部２１の自身の軸心を中心とした回転の規制は、直交軸部２１及び貫通孔１１２の形状が多角形状の断面を有している場合でも実現することができる。しかしながら、断面がＤ字状の直交軸部２１は、断面が多角形状の直交軸部２１に比べて、直交軸部２１の周方向の向きが分かりやすいため、枢軸部２１１が回転軸部１１に平行になる正しい向きで直交軸部２１を貫通孔１１２に挿入し易い、という利点がある。
【００６７】
また、直交軸部２１の自身の軸心を中心とした回転の規制は、直交軸部２１の周面に設けられた凹部と貫通孔１１２の内面から出没可能に突出する凸部との係脱による場合でも実現することができる。しかしながら、周面に凹部が設けられていない直交軸部２１は、周面に凹部が設けられている場合よりも手触りがよい。また、直交軸部２１及び貫通孔１１２の形状による回転の規制は、凸部と凹部との係脱による回転の規制よりも構成が簡単である。
【００６８】
ここで、直交軸部２１が自身の軸心を中心とした回転を規制されている理由を説明する。それは、枢軸部２１１を常に回転軸部１１に平行に保つためである。枢軸部２１１が回転軸部１１に対して非平行であると、ネジ部材のトルクが規定のトルクに達したときの揺動部２２３の揺動が正確には起こらない。つまり、十字レンチ３のトルクレンチとしての機能が発揮されない。
【００６９】
本考案の実施の形態におけるクリック生起部は、本実施の形態のものに限定されるものではない。例えば、クリック生起部は、従来のシグナル式のトルクレンチにおいてクリック感を生起させる構成と同様であってもよい。また、クリック生起部は、クリック音が発生しない静音性を有する構成でもよい。本実施の形態のクリック生起部は、第１係合部及び第２係合部の係合が解除された場合に揺動部と直交軸部とが当接することによってクリック感を生起させるが、第１係合部及び第２係合部が係合（又は係合解除）すること自体によってクリック感を生起させる構成でもよい。また、本実施の形態のクリック生起部は、揺動部が元の位置に戻るときにもクリック感が生起するが、元の位置に戻るときにはクリック感が生起しない構成でもよい。
【００７０】
実施の形態  ２．
図８〜図１０は、本発明の実施の形態２に係る十字レンチ３が備える工具用ソケット３２の構成を示す側面部分断面図、正面図、及び背面図である。
本実施の形態の十字レンチ３は、実施の形態１の十字レンチ３と略同様の構成である。以下では、実施の形態１との差異について説明し、その他、実施の形態１に対応する部分には同一符号を付してそれらの説明を省略する。
工具用ソケット３２は、ソケット部材４、ソケットカバー５、及びソケットプラグ６を備えている。
ソケット部材４は、実施の形態１のソケット部材３１に対応する。ソケットカバー５及びソケットプラグ６夫々は、ソケット部材４のいわば付属品である。
【００７１】
まず、ソケット部材４について説明する。
ソケット部材４は、長く太い筒状の前側部分４１と短く細い筒状の後側部分４２とを一体に有する。ソケット部材４の外周面において、前側部分４１と後側部分４２との境界部分４３は、滑らかに傾斜した段状になしてある。
【００７２】
前側部分４１は、嵌合穴４１１と、連通孔４１２とを有する。
嵌合穴４１１の内部は前後方向の正六角柱状である。嵌合穴４１１の前側開口は前側部分４１の前側開口に等しい。嵌合穴４１１の６個の内面４１ｂ，４１ｂ，…夫々は、矩形平面状である。嵌合穴４１１には正六角形状のネジ部材（例えば六角ボルト又は六角ナット）が嵌合される。嵌合穴４１１に正六角形状のネジ部材が嵌合されると、嵌合穴４１１の内面４１ｂ，４１ｂ，…は、ネジ部材の６個の外面に密着する。このため、嵌合穴４１１の中でネジ部材がガタついたり空回りしたりすることが抑制される。
連通孔４１２の内部は前後方向の円柱状である。連通孔４１２の前側開口は嵌合穴４１１に連通し、連通孔４１２の後側開口は、次に述べる装着穴４２１に連通している。
【００７３】
後側部分４２は、装着穴４２１を有する。
装着穴４２１の内部は前後方向の四角柱状である。装着穴４２１の後側開口は、後側部分４２の後側開口に等しい。装着穴４２１の４個の内面には、各１個の係合凹部４２２が設けられている。装着穴４２１には十字レンチ３の装着部１１１が嵌合される。装着穴４２１に装着部１１１が嵌合されると、係合凹部４２２には十字レンチ３の係合凸部１１３が係脱可能に係合する。この結果、ソケット部材４は、ソケット部材３１と同様に、装着部１１１に対して着脱可能に装着される。
【００７４】
以上のようなソケット部材４の構成は、ソケット部材３１のような従来型のソケット部材の構成と同様である。次に、両者の差異を説明する。
ソケット部材４は、ソケット部材３１とは異なり、嵌合穴４１１の６個のノッチ部（六角形の角部）４１ａ，４１ａ，…夫々が、外側へ膨らむように丸められている。この場合、各ノッチ部４１ａの正面視の形状は、内面４１ｂ，４１ｂ，…を含む仮想的な正六角形の頂点と、この正六角形の外側とを通る円弧状である。従って、嵌合穴４１１に正六角形状のネジ部材が嵌合されると、嵌合穴４１１のノッチ部４１ａ，４１ａ，…は、ネジ部材の６個の角部に点接触状に接する。
【００７５】
ソケット部材３１の場合、図示はしないが、嵌合穴の６個のノッチ部は角張っており、ネジ部材の６個の角部に密着する。この状態でネジ部材の締結作業を行なうと、ノッチ部に応力が集中する。このため、締結作業の繰り返しによってソケット部材のノッチ部に疲労が蓄積し、ついにはソケット部材が破壊される虞がある。
一方、ソケット部材４は、繰り返しの締結作業によってもノッチ部４１ａ，４１ａ，…に疲労が蓄積し難く、破壊され難い。何故ならば、弧状のノッチ部４１ａには、角張ったノッチ部に比べて応力が収集し難いからである。
【００７６】
次に、ソケットプラグ６について説明する。
ソケットプラグ６は、ソケット部材４及びネジ部材の何れよりも機械的強度（特に硬さ）が低い栓部材であり、例えば合成樹脂を用いてなる。ソケットプラグ６は、頭部６１及び脚部６２を一体的に有する。脚部６２は前後方向の円柱状である。頭部６１は、脚部６２よりも大径の円盤状であり、脚部６２の一端部に同軸に設けられている。また、頭部６１及び脚部６２に亘って、軸心を通る前後方向の貫通孔６３が設けられている。
【００７７】
脚部６２は、嵌合穴４１１側から連通孔４１２に嵌脱可能に嵌め入れられる。この結果、ソケットプラグ６はソケット部材４に着脱可能に取り付けられる。
脚部６２が連通孔４１２に嵌め入れられた場合、頭部６１は、嵌合穴４１１の後底部４１ｃに配される。この状態で、嵌合穴４１１にネジ部材が嵌合すると、頭部６１は、嵌合穴４１１の後底部４１ｃとネジ部材との間のスペーサとして機能する。
【００７８】
仮に、ソケットプラグ６が取り付けられていない場合、嵌合穴４１１に嵌合したネジ部材は、嵌合穴４１１の後底部４１ｃに当接する。このとき、ネジ部材が損傷する虞がある。何故ならば、例えば装飾性が向上されたホイールナットのようなネジ部材は、往々にしてソケット部材４よりも機械的強度が低いからである。
一方、ソケットプラグ６が取り付けられている場合、ネジ部材が当接するのは、硬いソケット部材４の後底部４１ｃではなく、柔らかいソケットプラグ６の頭部６１である。この結果、ネジ部材を損傷から保護することができる。
【００７９】
次に、ソケットカバー５について説明する。
ソケットカバー５は、ソケット部材４よりも機械的強度（特に硬さ）が低い円筒状部材であり、例えば合成樹脂を用いてなる。
ソケットカバー５は、周面被覆部５１、端面被覆部５２、スリット５３，５３，…、及び係止部５４を有する。ソケットカバー５の前側開口の内径は、ソケット部材４の嵌合穴４１１の最大内径以上である。ソケットカバー５の後側開口の内径は、ソケット部材４の前側部分４１の外径より小さく、ソケット部材４の後側部分４２の外径より大きい。ソケットカバー５の軸長方向の長さは、ソケット部材４の前端部から境界部分４３までの長さと同程度である。
【００８０】
周面被覆部５１は、前後方向の円筒状である。周面被覆部５１の内径は、ソケット部材４の前側部分４１の外径よりも大きい。
端面被覆部５２は、周面被覆部５１の前側開口の開口周縁部に、周面被覆部５１の前側開口を狭める方向に一体に突設されている縦姿勢の円環板状部分である。端面被覆部５２によって狭められた周面被覆部５１の前側開口が、ソケットカバー５の前側開口である。
係止部５４は、周面被覆部５１の後側開口の開口周縁部に、周面被覆部５１の後側開口を狭める方向に一体に突設されている円環突条部分である。係止部５４によって狭められた周面被覆部５１の後側開口が、ソケットカバー５の後側開口である。係止部５４の前部及び後部にはテーパが形成されている。
【００８１】
ソケットカバー５は、複数本（本実施の形態では３本）の各前後方向のスリット５３，５３，…を後端部に有する。スリット５３，５３，…は、周方向に等配してある。各スリット５３は、周面被覆部５１の後端部及び係止部５４を切り欠いたように設けられている。このため、ソケットカバー５の後端部は弾性的に拡径／縮径可能である。
【００８２】
作業者は、ソケットカバー５をソケット部材４に取り付ける。このために、作業者は、ソケット部材４の前側部分４１を、ソケットカバー５の後側開口からソケットカバー５の内部へ押し入れる。すると、係止部５４がソケット部材４の前側部分４１に当接し、ソケットカバー５の後端部が拡径する。ソケット部材４の前端部がソケットカバー５の端面被覆部５２の内面に当接すると、係止部５４がソケット部材４の境界部分４３に位置する。このとき、ソケットカバー５の後端部が縮径し、係止部５４がソケット部材４の境界部分４３に係止することによって、ソケットカバー５のソケット部材４からの脱落が抑制される。ソケットカバー５の拡径／縮径は、係止部５４のテーパがソケットカバー５に摺動することによって、滑らかに行なわれる。
【００８３】
以上の結果、ソケットカバー５はソケット部材４の前側部分４１を覆う。更に詳細には、ソケットカバー５の周面被覆部５１がソケット部材４の前側部分４１の周面を被覆し、端面被覆部５２が前側部分４１の前端面（前側開口の周縁部）を被覆する。
ソケット部材４の前側部分４１はソケットカバー５に遊びを有して嵌合される。このため、ソケット部材４の前側部分４１は、ソケットカバー５の内部で特段の問題なく回転（ソケットカバー５に対して空回り状に回転）する。つまり、ソケット部材４の前側部分４１がソケットカバー５の内面に摺動しない。このため、ソケットカバー５に擦過傷が生じることが抑制される。
【００８４】
ソケットカバー５は、ソケット部材４がネジ部材以外の物体（不図示）に無用に当接することを抑制する。ネジ部材以外の物体とは、例えば車両のホイールである。
ソケット部材４は、例えば熱処理された合金を用いてなり、機械的強度が向上されている。一方、ホイールは、軽量化及び美観の向上のため、例えばアルミニウムを用いてなる。故に、ホイールの機械的強度は低い。従って、ソケット部材４がホイールに直接的に当接すれば、ホイールが損傷する虞がある。
一方、機械的強度が低いソケットカバー５がホイールに直接的に当接したとしても、ホイールは損傷し難い。つまり、ソケットカバー５はホイールを損傷から保護する。
【００８５】
ソケットカバー５をソケット部材４から取り外す場合、作業者は、ソケット部材４の前側部分４１を、ソケットカバー５の後側開口を通してソケットカバー５から引き抜く。すると、再びソケットカバー５の拡径／縮径が生じて、ソケットカバー５が滑らかにソケット部材４から取り外される。
係止部５４の境界部分４３に対する係脱は、ソケットカバー５の後端部の弾性変形に伴って行なわれる。このため、ソケットカバー５の着脱が容易である、ソケットカバー５のソケット部材４に対する繰り返しの着脱による破壊が起こり難い、及び、係止部５４の存在によってソケットカバー５の脱落が抑制される等のメリットが得られる。
【００８６】
以上のような工具用ソケット３２は、実施の形態１のソケット部材３１に替えて十字レンチ３に取り付けて使用される。
なお、工具用ソケット３２は、一般的な十字レンチ又はソケットレンチ等に取り付けて使用されてもよい。
また、工具用ソケット３２は、ソケット部材４、ソケットカバー５、及びソケットプラグ６を全て備えている構成に限定されない。例えば、工具用ソケット３２は、ソケット部材４のみを備えている構成でもよく、ソケット部材４とソケットカバー５及びソケットプラグ６の何れか一方とを備えている構成でもよい。或いは、工具用ソケット３２は、ソケット部材４に替えてソケット部材３１を備えている構成でもよい。
【００８７】
本実施の形態のソケットカバー５及びソケットプラグ６夫々はソケット部材４に対して着脱可能に取り付けられる。着脱可能なソケットカバー５及びソケットプラグ６夫々は、複数個のソケット部材４，４，…による共用が可能である。なお、ソケットカバー５及びソケットプラグ６が、ソケット部材４に対して着脱不能に取り付けられる構成でもよい。
【００８８】
今回開示された実施の形態は、全ての点で例示であって、制限的なものではないと考えられるべきである。本考案の範囲は、上述した意味ではなく、実用新案請求の範囲と均等の意味及び実用新案請求の範囲内での全ての変更が含まれることが意図される。
また、本考案の効果がある限りにおいて、十字レンチ３に、実施の形態に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００８９】
１      第１杆部
１１    回転軸部
１１２  貫通孔
１２    支持部
２      第２杆部
２１    直交軸部
２１１  枢軸部
２２    クリック生起部
２２１  第１係合部
２２２  第２係合部
２２３  揺動部
２２４  付勢部
２３    中央係止部（係止部）
２４    左端係止部（他端部に配されている係止部）
２４１  第１係止凸部
２４２  第２係止凸部
２５    切替部
２５１  押圧部材（押圧部）
３      十字レンチ
３１    ソケット部材
【図１】
0003189593.tif 000003
【図２】
0003189593.tif 000004
【図３】
0003189593.tif 000005
【図４】
0003189593.tif 000006
【図５】
0003189593.tif 000007
【図６】
0003189593.tif 000008
【図７】
0003189593.tif 000009
【図８】
0003189593.tif 000010
【図９】
0003189593.tif 000011
【図１０】
0003189593.tif 000012